(57)【要約】【課題】文字や模様等を表示するなどの加飾性や表現性を向上でき、発光色や発光パターンを簡単に制御してエンターテイメント性を高めることができる発光具を提供する。【解決手段】携帯型の発光具Ｄ１であって、発光素子を備える発光部１００と、発光部からの発光を導光する導光部３００Ａと、発光部の発光色または発光パターンを制御する制御部１０１とを備え、導光部は、平板状の導光プレートで構成され、導光プレートの表面の少なくとも一方には、文字、記号、図形または模様の少なくとも１つ（３０１）が配設されている。【選択図】図１
2020056812.tif 000002
【特許請求の範囲】
【請求項１】
携帯型の発光具であって、
発光素子を備える発光部と、
前記発光部からの発光を導光する導光部と、
前記発光部の発光色または発光パターンを制御する制御部と
を備え、
前記導光部は、
平板状の導光プレートで構成され、
該導光プレートの表面の少なくとも一方には、文字、記号、図形または模様の少なくとも１つが配設されていることを特徴とする発光具。
【請求項２】
前記文字、記号、図形または模様は、微細な凹凸の集合で形成されていることを特徴とする請求項１に記載の発光具。
【請求項３】
受光素子をさらに備え、
前記制御部は、前記受光素子で受光した制御信号に基づいて、前記発光部の発光色または発光パターンを制御することを特徴とする請求項１または請求項２に記載の発光具。
【発明の詳細な説明】
【技術分野】
【０００１】
本発明は、発光具に係り、例えばコンサート会場等で使用されるものに関する。
【背景技術】
【０００２】
従来から、コンサート会場などにおいて、音楽や歌唱に合わせて観客が手に持って振るなどしてエンターテイメント性を向上させることのできる発光具が種々提供されている（例えば、特許文献１参照）。
【先行技術文献】
【特許文献】
【０００３】
【特許文献１】特開２０１８−４９８４３号公報
【発明の概要】
【発明が解決しようとする課題】
【０００４】
ところで、従来技術に係る発光具は、ＬＥＤ等の発光素子からの発光を棒状の導光体を介して周囲に照射あるいは散乱させていた。
【０００５】
しかし、棒状の導光体では、文字や模様等を表示するなどの加飾性や表現性に制限が有り、エンターテイメント性を十分に高めることができないという難点があった。
【０００６】
また、従来技術に係る発光具としては、個別に発光色等を変更する機能を有するものは開発されているが、例えば、コンサート等の主催者側で、各発光具の発光色や発光パターンを簡単に制御して、エンターテイメント性を高めるものは提供されていなかった。
【０００７】
本発明は、文字や模様等を表示するなどの加飾性や表現性を向上でき、発光色や発光パターンを簡単に制御してエンターテイメント性を高めることができる発光具を提供することを目的とする。
【課題を解決するための手段】
【０００８】
上記目的を達成するため、請求項１に係る発光具は、携帯型の発光具であって、発光素子を備える発光部と、前記発光部からの発光を導光する導光部と、前記発光部の発光色または発光パターンを制御する制御部とを備え、前記導光部は、平板状の導光プレートで構成され、該導光プレートの表面の少なくとも一方には、文字、記号、図形または模様の少なくとも１つが配設されていることを要旨とする。
【０００９】
これにより、棒状の導光体を有する発光具に比して、文字、記号、図形または模様の表示による加飾性や表現性を向上させて、コンサート等におけるエンターテイメント性を高めることができる。
【００１０】
請求項２に係る発光具は、請求項１に記載の発明において、前記文字、記号、図形または模様は、微細な凹凸の集合で形成されていることを要旨とする。
【００１１】
これにより、微細な凹凸の集合で発光部からの発光が散乱されるので、形成された文字、記号、図形または模様が浮かび上がるように視認され、コンサート等におけるエンターテイメント性を一層高めることができる。
【００１２】
請求項３に係る発光具は、請求項１または請求項２に記載の発明において、受光素子をさらに備え、前記制御部は、前記受光素子で受光した制御信号に基づいて、前記発光部の発光色または発光パターンを制御することを要旨とする。
【００１３】
これにより、例えば、コンサート等の主催者側で、各発光具の発光色や発光パターンを簡単に制御して、エンターテイメント性を一層高めることができる。
【発明の効果】
【００１４】
本発明によれば、文字や模様等を表示するなどの加飾性や表現性を向上でき、発光色や発光パターンを簡単に制御してエンターテイメント性を高めることができる発光具を提供することができる。
【図面の簡単な説明】
【００１５】
【図１】実施の形態に係る発光具の機能構成を示す機能ブロック図である。
【図２】実施の形態に係る発光具の構成例を示す正面図である。
【図３】実施の形態に係る発光具の他の構成例を示す正面図である。
【図４】実施の形態に係る発光具の構成例を示す側方一部断面図である。
【図５】実施の形態に係る発光具の構成例を示す一部拡大断面図である。
【図６】実施の形態に係る発光具の他の構成例を示す側方一部断面図である。
【図７】実施の形態に係る発光具で実行される発光制御処理の処理例を示すフローチャートである。
【図８】実施の形態に係る発光具の発光の遷移状態を示す説明図（ａ）〜（ｃ）である。
【発明を実施するための形態】
【００１６】
図１〜図８を参照して、本発明の実施の形態に係る発光具Ｄ１について説明する。
【００１７】
（発光具の構成例）
まず、図１〜図６を参照して、本実施の形態に係る発光具Ｄ１の機能構成および構成例について説明する。
【００１８】
ここで、図１は、発光具Ｄ１の機能構成を示す機能ブロック図、図２は、発光具Ｄ１の構成例を示す正面図、図３は、発光具Ｄ１の他の構成例を示す正面図、図４は、発光具Ｄ１の構成例を示す側方一部断面図、図５は、発光具Ｄ１の構成例を示す一部拡大断面図、図６は、発光具Ｄ１の他の構成例を示す側方一部断面図である。
【００１９】
コンサート会場などにおいて、音楽や歌唱に合わせて観客が手に持って振るなどしてエンターテイメント性を向上させる携帯型の発光具Ｄ１は、図１等に示すように、発光素子（例えば、３色（Ｒ，Ｇ，Ｂ）発光型のＬＥＤ等）を備える発光部１００と、発光部１００からの発光を導光する導光部と、発光部１００の発光色または発光パターンを制御するワンチップマイコン等で構成される制御部１０１とを備える。
【００２０】
導光部は、例えば透明樹脂またはガラスから成る平板状の導光プレート３００Ａ（３００Ｂ）で構成される。
【００２１】
導光プレート３００Ａ（３００Ｂ）は、トムソン加工やレーザ切削により、円形（図２参照）や星形（図３参照）等の種々の形状に成形される。
【００２２】
導光プレート３００Ａ（３００Ｂ）の表面の一方には、文字（例えば、「ＬＵＭＣ」等）３０１、記号、図形または模様の少なくとも１つが配設されている。
【００２３】
これにより、棒状の導光体を有する発光具に比して、文字、記号、図形または模様３０１の表示による加飾性や表現性を向上させて、コンサート等におけるエンターテイメント性を高めることができる。
【００２４】
文字、記号、図形または模様等３０１は、導光プレート３００Ａ（３００Ｂ）の表面にエッチング処理（例えば、レーザエッチング等の乾式法、あるいは化学薬品を用いた湿式法による）またはプリンタを用いた印刷処理によって形成される。
【００２５】
これにより、導光プレート３００Ａ（３００Ｂ）の表面に、例えばコンサート等に関連する内容やスポンサー名やロゴ等を表示することができ、コンサート等におけるエンターテイメント性を高めると共に、宣伝広告効果を高めることもできる。
【００２６】
また、図５に示すように、文字、記号、図形または模様等３０１は、微細な凹凸３１１、３１２の集合で形成されるようにできる。
【００２７】
これにより、微細な凹凸３１１、３１２の集合で発光部１００からの発光Ｌ１が散乱されるので、形成された文字、記号、図形または模様３０１が浮かび上がるように視認され、コンサート等におけるエンターテイメント性を一層高めることができる。
【００２８】
また、フォトトランジスタ等の受光素子１０２をさらに備え、制御部１０１は、受光素子１０２で受光した制御信号に基づいて、発光部１００の発光色（Ｒ，Ｇ，Ｂ）または発光パターンを制御するようにできる。
【００２９】
これにより、例えば、コンサート等の主催者側で、各発光具Ｄ１の発光色や発光パターンを簡単に制御して、エンターテイメント性を一層高めることができる。
【００３０】
なお、図２、図３に示すように、受光素子１０２は、導光プレート３００Ａ（３００Ｂ）を介して制御信号ＩＲを受光するように構成できる。なお、制御信号ＩＲは、外部制御装置２００等から送信するようにできる（図１参照）。
【００３１】
これにより、制御信号ＩＲが通過する部位を別途設ける必要が無く、また、導光プレート３００Ａ（３００Ｂ）は常に露出されているので、制御信号ＩＲを確実に受光することができる。
【００３２】
また、受光素子１０２は、赤外線検出素子で構成することができ、その場合に、制御信号は、赤外線を搬送波として送信される。
【００３３】
これにより、各発光具Ｄ１から出される可視光Ｌ１およびコンサート等における演出用の光線等に干渉されることなく、赤外線を搬送波とする制御信号ＩＲの受信を確実に行うことができる。
【００３４】
なお、制御信号の通信を赤外線以外の電磁波や、有線通信で行うように構成してもよい。
【００３５】
図２、図３に示すように、発光部１００、制御部１０１、受光素子１０２および各部に電力を供給する電源部（バッテリ）１０３は、樹脂等で成形された筐体４００内に収容されている。
【００３６】
導光プレート３００Ａ（３００Ｂ）の下端部には、筐体４００の上端部に係合される係合部３０２が形成され、図示しないビス等によって筐体４００に固定されている。
【００３７】
筐体４００の表面側には、電源オン、オフおよび発光色や発光パターンを選択するボタンスイッチ１０５ａ〜１０５ｃが設けられている。
【００３８】
また、図６に示すように、導光プレート３００Ａ（３００Ｂ）の両面に、文字３０１ａおよび模様等３０１ｂを設けるようにしてもよい。なお、図６では、両面に設ける文字３０１ａおよび模様等３０１ｂを対称位置に配置する例を示したが、非対称位置に配置するようにしてもよい。
【００３９】
（発光制御処理）
次に、図７のフローチャートおよび図８の説明図を参照して、本実施の形態に係る発光具Ｄ１の制御部１０１で実行される発光制御処理の処理手順等について説明する。
【００４０】
図７に示すように、まず、ステップＳ１０で電源をオンすると、ステップＳ１１で発光部１００のＬＥＤを点灯する。なお、発光部１００として３色（Ｒ，Ｇ，Ｂ）発光型のＬＥＤを用いる場合には、初期値として発光色および発光パターンを設定するようにしてもよい。
【００４１】
ステップＳ１２では、受光素子１０２が制御信号ＩＲを受光したか否かが判定され、「Ｎｏ」の場合には同様の処理を継続し、「Ｙｅｓ」の場合にはステップＳ１３に移行する。
【００４２】
ステップＳ１３では、制御信号ＩＲに基づいて発光部１００のＬＥＤの発光色を変更して、ステップＳ１４に移行する。
【００４３】
ステップＳ１４では、制御信号ＩＲに基づいて発光部１００のＬＥＤの発光パターンを変更して、ステップＳ１５に移行する。
【００４４】
ステップＳ１５では、電源はオフされたか否かが判定され、「Ｎｏ」の場合にはステップＳ１２に戻って同様の処理を繰り返し、「Ｙｅｓ」の場合には処理を終了する。
【００４５】
図８（ａ）〜（ｃ）は、本実施の形態に係る発光具Ｄ１の発光の遷移状態を示す説明図である。
【００４６】
図８（ａ）〜（ｃ）に示す例では、制御信号ＩＲを受信する毎に、発光部１００のＬＥＤの発光色が、Ｒ（赤色）→Ｇ（緑色）→Ｂ（青色）と遷移する場合を示す。なお、発光色の変化パターンは、これに限らず適宜変更可能である。また、複数のＬＥＤを用いて、中間色を表現するようにしてもよい。また、各発光色について、点灯間隔を適宜変更した発光パターンを変化させるようにできる。
【００４７】
以上、本発明の発光具を図示の実施形態に基づいて説明したが、本発明はこれに限定されるものではなく、各部の構成は、同様の機能を有する任意の構成のものに置き換えることができる。
【符号の説明】
【００４８】
Ｄ１…発光具
ＩＲ…制御信号
１００…発光部（ＬＥＤ）
１０１…制御部
１０２…受光素子（赤外線検出素子）
１０３…電源部（バッテリ）
３００Ａ、３００Ｂ…導光部（導光プレート）
３０１…文字、記号、図形または模様
４００…筐体
【図１】
2020056812.tif 000003
【図２】
2020056812.tif 000004
【図３】
2020056812.tif 000005
【図４】
2020056812.tif 000006
【図５】
2020056812.tif 000007
【図６】
2020056812.tif 000008
【図７】
2020056812.tif 000009
【図８】
2020056812.tif 000010